(57)【特許請求の範囲】
【請求項１】
遊技媒体の投入口及び流出口を備えた投入容器と、この投入容器の流出口から流出する遊技媒体を計数する計数手段と、前記投入容器の投入口を選択的に閉鎖するシャッタとを備えた遊技媒体計数装置において、
前記シャッタの閉鎖状態を検知する検知手段と、
この検知手段が前記シャッタの閉鎖を検知している状態で前記計数手段による計数値出力が予め決められた第１の設定値から第２の設定値へ増加したときに異常信号を発生する異常判定手段を備えたことを特徴とする遊技媒体計数装置。
【請求項２】
遊技媒体の投入口及び流出口を備えた投入容器と、この投入容器の流出口から流出する遊技媒体を計数する計数手段と、前記投入容器の投入口を選択的に閉鎖するシャッタとを備え、前記投入口から遊技媒体が投入された後は、前記シャッタを閉鎖した状態であっても当該投入された遊技媒体を計数可能に構成された遊技媒体計数装置において、
前記シャッタの閉鎖状態を検知する検知手段と、
この検知手段が前記シャッタの閉鎖を検知している状態で前記計数手段による計数値出力が行われたときは、当該シャッタの閉鎖を検知する以前から前記計数手段による計数値出力が開始されている場合は正常と判定する一方、当該シャッタの閉鎖を検知した後に前記計数手段による計数値出力が開始されている場合には異常と判定し、異常信号を発生する異常判定手段を備えたことを特徴とする遊技媒体計数装置。
【発明の詳細な説明】
【０００１】
【発明の属する技術分野】
本発明は、投入容器の投入口に投入された遊技媒体を計数するための遊技媒体計数装置、特には投入容器の投入口にこれを選択的に閉鎖するシャッタを設けた遊技媒体計数装置に関する。
【０００２】
【従来の技術】
例えばパチンコホールにおいては、遊技客が獲得したパチンコ玉（遊技媒体）を計数装置に投入して計数させたときに、その計数結果をＩＤ情報などと共に記録した記録担体（レシートや磁気カードなど）を発行し、この記録担体を景品交換に利用するようにしたシステムが採用されている。このようなシステムでは記録担体を改ざんして行われる不正行為に対処する必要があるが、近年では、計数装置での計数結果を把握できる景品交換用ＰＯＳシステムが普及しているため、記録担体を改ざんして行う不正行為に対する安全性は飛躍的に高まっている。これに対して、近年では、電波発信機から電波を発射して計数装置の計数機能を誤作動させ、以てその計数値出力を実際に投入されたパチンコ玉数よりも大幅に高めるという不正行為や、特殊な道具を計数装置の計数機能部分に挿入して計数結果を不正に高めるという行為が多発している。これらの不正行為が行われた場合、計数結果での計数結果と記録担体に記録される計数結果が互いに一致するため、景品交換用ＰＯＳシステムでは対処できないという事情があった。
【０００３】
このため、従来では、計数装置のパチンコ玉投入口を閉鎖状態に保持可能なシャッタを設け、パチンコホールの従業員がシャッタを開放したときのみ計数装置によるパチンコ玉の計数が可能な構成とすることが行われている。このような構成によれば、特殊な道具を使用した不正行為を効果的に防止できる。また、電波発信機を使用した不正行為に対処するために、上記シャッタを設けた上で、そのシャッタの閉鎖状態で計数装置から計数値出力がある場合に、これを異常と判断して警報信号を発生する異常判定手段を設ける構成とすることが行われている。
【０００４】
【発明が解決しようとする課題】
シャッタ及び異常判定手段を設けた従来の計数装置により１回では運搬できない多量のパチンコ玉を計数する場合には、計数開始後にシャッタを閉じた状態として残りのパチンコ玉の運搬を行うことになる。ところが、計数装置に投入されたパチンコ玉の計数には遅れ時間が伴うため、パチンコ玉の投入が済んだ後に直ちにシャッタを閉じると、シャッタの閉鎖状態で計数装置から計数値が出力された状態になり、これに応じて異常判定手段が誤って警報信号を発生するという事態を招く。つまり、従来の計数装置では、シャッタが閉鎖された状態で出力される計数値が、正常な計数動作に応じて出力されたものか、或いは不正行為に起因して出力されたものか判然としないという問題点があった。
【０００５】
本発明は上記事情に鑑みてなされたものであり、その目的は、シャッタにより遊技媒体の投入口が閉鎖されている状態で計数手段から計数値出力があったときに、その計数値が不正行為に起因したものであるか否かを正確に判定できるようになる遊技媒体計数装置を提供することにある。
【０００６】
【課題を解決するための手段】
請求項１記載の発明は上記目的を達成するために、遊技媒体の投入口及び流出口を備えた投入容器と、この投入容器の流出口から流出する遊技媒体を計数する計数手段と、前記投入容器の投入口を選択的に閉鎖するシャッタとを備えた遊技媒体計数装置において、
前記シャッタの閉鎖状態を検知する検知手段と、この検知手段が前記シャッタの閉鎖を検知している状態で前記計数手段による計数値出力が予め決められた第１の設定値から第２の設定値へ増加したときに異常信号を発生する異常判定手段を備えた構成としたものである。
【０００７】
一般的に、遊技客が獲得した遊技媒体は運搬用ケースに収納された状態で遊技媒体計数装置まで運ばれるが、上記構成において、投入容器に対し１ケース相当量程度の遊技媒体を投入してからシャッタを閉鎖した場合、計数手段は、シャッタの閉鎖状態が検知手段により検知されるまでの期間において、ある程度の量以上の遊技媒体を計数した状態を呈することになる。これに対して、シャッタが閉鎖された状態で、電波発信機から電波を発射して計数手段を誤作動させ、以てその計数値出力を実際に投入された遊技媒体数よりも大幅に高めるという不正行為が行われた場合には、計数手段の計数値出力は零からインクリメントされることになる。
【０００８】
本発明の構成においては、検知手段がシャッタの閉鎖を検知している状態で計数手段による計数値出力が第１の設定値から第２の設定値へ増加したときに、異常判定手段が異常信号を発生する構成となっている。この場合、第１の設定値を零以外の比較的小さい数値（例えば１〜１０程度）に設定し、これより大きい第２の設定値を、投入容器に対し１ケース相当量程度の遊技媒体を投入してからシャッタを閉鎖したときの計数手段の計数値より小さい数値（例えば数十〜１００程度）に設定しておけば、投入容器に対し遊技媒体を投入するという通常の操作が行われた後にシャッタが閉鎖されたときには、計数手段による計数値出力が第１の設定値から第２の設定値へ増加する状態が既に終わっているから、異常判定手段から異常信号が出力されることはない。これに対して、電波発信機から電波を発射して計数手段を誤作動させるという不正行為が行われた場合には、計数手段の計数値出力は零からインクリメントされることになるため、計数手段による計数値出力が第１の設定値から第２の設定値へ増加する状態が発生し、これに応じて異常判定手段から異常信号が出力されることになる。従って、シャッタにより遊技媒体の投入口が閉鎖されている状態で計数手段から計数値出力があったときに、その計数値が不正行為に起因したものであるか否かを、異常信号の出力の有無に基づいて正確に判定できるようになる。
【０００９】
請求項２記載の発明は前記目的を達成するために、遊技媒体の投入口及び流出口を備えた投入容器と、この投入容器の流出口から流出する遊技媒体を計数する計数手段と、前記投入容器の投入口を選択的に閉鎖するシャッタとを備え、前記投入口から遊技媒体が投入された後は、前記シャッタを閉鎖した状態であっても当該投入された遊技媒体を計数可能に構成された遊技媒体計数装置において、
前記シャッタの閉鎖状態を検知する検知手段と、この検知手段が前記シャッタの閉鎖を検知している状態で前記計数手段による計数値出力が行われたときは、当該シャッタの閉鎖を検知する以前から前記計数手段による計数値出力が開始されている場合は正常と判定する一方、当該シャッタの閉鎖を検知した後に前記計数手段による計数値出力が開始されている場合には異常と判定し、異常信号を発生する異常判定手段を備えた構成としたものである。
【００１０】
この構成によれば、シャッタが閉鎖されて投入口を通じた遊技媒体の投入が禁止された状態において、計数手段による計数値出力が開始されたとき、つまり、本来的に計数値出力が開始されるはずがない状態で計数値出力があったときは、異常判定手段から異常信号が出力される。従って、シャッタにより遊技媒体の投入口が閉鎖されている状態で計数手段から計数値出力があったときに、その計数値が不正行為に起因したものであるか否かを正確に判定できるようになる。
【００１１】
【発明の実施の形態】
（第１の実施の形態）
以下、本発明をパチンコ玉計数装置に適用した第１実施例について図１ないし図６を参照しながら説明する。
図３及び図４にはパチンコ玉計数装置１（遊技媒体計数装置）の異なる状態での斜視図が示されている。これら図３及び図４において、パチンコ玉計数装置１の本体ケース２には、上面開口部がパチンコ玉（遊技媒体）の投入口３ａとされたホッパ状の玉受容器３（投入容器）が固定されており、その玉受容器３の最下部にはパチンコ玉の流出口（図示せず）が形成されている。玉受容器３内に投入されたパチンコ玉は、流出口から順次流出した後に内部の計数部（計数手段：図１に符号４を付して示す）及び図示しない排出路を介して本体ケース２外に排出される構成となっている。尚、計数部４は、通過したパチンコ玉数に相当した数の計数パルスをリアルタイムで発生する構成のものである。
【００１２】
玉受容器３の上部には、投入口３ａを選択的に閉鎖するためのスライド形式のシャッタ５が設けられる。このシャッタ５は、本体ケース２における玉受容器３の後方部分に収納された状態の例えば３枚の単位シャッタ板を手前側に引き出すことにより投入口３ａを閉鎖する形態（図４参照）となっており、投入口３ａを閉鎖する位置まで引き出されたときには、第１のロック機構６が自動的にロック動作して当該閉鎖位置に保持される構造となっている。尚、第１のロック機構６のアンロックは、本体ケース２の前面に位置されたキー穴６ａに所定のキーを差し込んで行う。また、本体ケース２内には、シャッタ５の閉鎖状態を検知したときにオンするシャッタセンサ（検知手段：図１に符号７を付して示す）が設けられている。
【００１３】
本体ケース２における後方部右側には表示部８が立設状に設けられている。この表示部８には、計数部４による計数値（つまり、玉受容器３内に投入されたパチンコ玉数）、そのパチンコ玉により交換可能な特定景品の個数、上記パチンコ玉を特定景品と交換した場合に生ずる余りパチンコ玉数を表示するという周知の表示機能が付与されている。また、本体ケース２における玉受容器３の前方位置には、表示部８に表示された余りパチンコ玉数に応じた数のパチンコ玉を放出する動作を行うための玉返却部９が設けられている。
【００１４】
本体ケース２における右側部には、後端縁部を支点に回動可能なカバー１０が設けられている。このカバー１０の開放状態では、玉受容器３の固定状態を手指などにより解除できる構成となっており、以て玉受容器３を取り外して計数部４などのメンテナンスを行い得るようになっている。また、カバー１０が閉鎖されたときには、第２のロック機構１１が自動的にロック動作して当該閉鎖位置に保持される構造となっている。この場合、第２のロック機構１１のアンロックは、基本的には、本体ケース２の前面に位置されたキー穴１１ａに所定のキーを差し込んで行うものであるが、第２のロック機構１１には、キーによるアンロック操作を常時において無効にするキャンセラ機構（図示せず）が設けられており、このキャンセラ機構は後述するアンロック許可信号が与えられたときのみキーによるアンロック操作を許容する構成となっている。また、本体ケース２内には、カバー１０の閉鎖状態を検知したときにオンするカバーセンサ（図１に符号１２を付して示す）が設けられている。
【００１５】
本体ケース２におけるカバー１０の下方空間部分には、計数部４による計数結果及びＩＤ情報などを記録したレシートを発券するための発券部１３が配置されており、この発券部１３の発券口は、カバー１０に形成された開口部１０ａを介して外部に露出した状態となっている。また、カバー１０には、返却有りスイッチ１４及び返却無しスイッチ１５が取り付けられている。
【００１６】
この場合、返却有りスイッチ１４及び返却無しスイッチ１５は、計数部４においてパチンコ玉の計数が終了したときに発券部１３を通じてレシートを発券させるときに操作されるスイッチである。特に、返却有りスイッチ１４が操作されたときには玉返却部９が動作されるようになっており、これにより玉返却部９から表示部８に表示された余りパチンコ玉数に応じた数のパチンコ玉が放出される。
尚、返却無しスイッチ１５が操作されたときにはレシートの発券動作のみが行われ、余りパチンコ玉の放出動作は行われない。
【００１７】
本体ケース２の前面側右方部には、パチンコホール従業員が携帯するリモコン（図１に符号１６を付して示す）からの赤外線信号を受信するためのリモコン受信部１７が設けられている。
【００１８】
図２には、パチンコ玉計数装置１を含んで成る景品交換用ＰＯＳシステムの全体構成が実体的に示されている。この図２において、パチンコホール内の全てのパチンコ玉計数装置１は、ホール内ＬＡＮ１８を介してパチンコホール用集中管理装置であるホストコンピュータ１９に接続されている。また、ホール内ＬＡＮ１８には、発券部１３から発券されたレシートの記録情報に基づいた景品交換を行うためのＰＯＳ端末２０群が接続されている。
【００１９】
図１にはパチンコ玉計数装置１の電気的構成が機能ブロックの組み合わせにより示されている。この図１において、制御部２１（異常判定手段）は、ＣＰＵ、ＲＯＭ、ＲＡＭなどを備えたマイクロコンピュータを主体に構成されたもので、本体ケース２内の例えばカバー１０の下方位置に設けられる。この制御部２１は、ＲＯＭに予め記憶したプログラム、並びに計数部４からの計数パルス、返却有りスイッチ１４及び返却無しスイッチ１５からの操作信号、リモコン受信部１７の受信信号などに基づいて、表示部８、玉返却部９、第２のロック機構１１内の図示しないキャンセラ機構、発券部１３の制御を行うと共に、ホストコンピュータ１９及びＰＯＳ端末２０との間でのホール内ＬＡＮ１８を利用したデータ送受信を送受信部２２を通じて行う構成となっている。
【００２０】
ここで、パチンコホール従業員が携帯するリモコン１６は、その従業員に固有の従業員コードを含むアンロック信号を赤外線信号により送信する構成となっている。また、制御部２１には、従業員コードと対応付けた状態で、当該従業員の信頼性レベルを示すデータが記憶されている。具体的には、例えばパチンコホールの店長並びに主任クラス以上の従業員には、信頼性レベルとして「レベル１」が設定され、一般従業員並びにアルバイト従業員には、信頼性レベルとして「レベル２」が設定されている。
【００２１】
図５及び図６には制御部２１による制御内容が示されており、以下これについて説明する。尚、図５はメインプログラムの内容を示し、図６はメインプログラムのバックグラウンドにて実行されるロック制御ルーチンの内容を示している。
図５において、電源投入状態では、計数部４の計数動作の開始若しくは当該計数動作の終了を検知するまで待機し（ステップＡ１、Ａ２）、計数動作開始を検知したときには計数部４から入力される計数パルスをカウントする（ステップＡ３）。次いで、シャッタセンサ７がオン状態にあるか否かを判断し（ステップＡ４）、「ＮＯ」の場合、つまりシャッタ５が開放されているときには、ステップＡ１へ戻って計数パルスのカウントを継続する。これに対してステップＡ４で「ＹＥＳ」と判断した場合、つまりシャッタ５が閉鎖されているときには、予備フラグがオンか否かを判断する（ステップＡ５）。ここで、予備フラグは、計数動作が一旦終了した後の初期状態ではオフされている。従って、ステップＡ１において計数動作開始が初めて検知された後にステップＡ５が実行されたときには、当該ステップＡ５で「ＮＯ」と判断し、現在のカウント値が第１の設定値であるか否かを判断する（ステップＡ６）。この場合、第１の設定値としては例えば「１０」が設定され、後述する第２の設定値として例えば「１００」が設定されている。
【００２２】
ステップＡ６で「ＮＯ」と判断した場合、つまり、シャッタ５が閉鎖された状態を検知した後において計数部４からの計数パルスのカウント値が「１０」にならなかった場合には、そのままステップＡ１へ戻るが、「ＹＥＳ」と判断した場合、つまりカウント値が「１０」になった場合には、予備フラグをオンするステップＡ７を実行した後にステップＡ１へ戻る。従って、この後にステップＡ５が実行されたときには、当該ステップＡ５で「ＹＥＳ」と判断されるようになり、この場合には現在のカウント値が第２の設定値（＝１００）であるか否かを判断する（ステップＡ８）。ここで「ＮＯ」と判断した場合にはステップＡ２へ移行するが、「ＹＥＳ」と判断した場合、つまり、計数部４からの計数パルスのカウント値が第１の設定値である「１０」から第２の設定値である「１００」へ増加したときには、警報処理ルーチンＡ９を実行した後にリターンする。
【００２３】
この警報処理ルーチンＡ９では、異常信号を発生してホストコンピュータ１９へ送信すると共に、必要に応じてその後のレシートの発券処理を禁止するなどの制御動作を行う。そして、異常信号を受けたホストコンピュータ１９にあっては、パチンコホール従業員に対し、異常信号の発生源となったパチンコ玉計数装置１を特定可能な警報を発する構成となっている。
【００２４】
一方、計数動作終了を検知したとき（ステップＡ２で「ＹＥＳ」）には、発券処理ルーチンＡ１０を実行する。このルーチンＡ１０では、返却有りスイッチ１４及び返却無しスイッチ１５の何れかが操作されることに基づいて、計数部４からの計数パルスの最終的なカウント値（計数結果）及びＩＤ情報を記録したレシートを発券部１３から発券するための制御動作を行う。具体的には、最終的なカウント値を特定景品の交換単価により除算して、そのカウント値に対応した数のパチンコ玉で交換可能な特定景品の数を算出すると共に、パチンコ玉を特定景品と交換した場合に生ずる余りパチンコ玉数を算出する。
そして、返却有りスイッチ１４が操作されたときには、レシートに対し、最終的なカウント値から余りパチンコ玉数の算出値を減算した数値を計数結果として印字すると共に、算出された特定景品の交換個数を印字し、玉返却部９から余りパチンコ玉数に応じた数のパチンコ玉を放出する。また、返却無しスイッチ１５が操作されたときには、レシートに対し、最終的なカウント値を計数結果として印字すると共に、算出された特定景品の交換個数及び余りパチンコ玉数を印字する。尚、表示部８には、発券処理ルーチンＡ１０での演算結果が表示される。
【００２５】
発券処理ルーチンＡ１０の実行に応じてレシートを発券した後には、予備フラグをオフするステップＡ１１、計数パルスのカウント値の初期化及び表示部８の表示内容の初期化などを行うリセットステップＡ１２を実行し、この後にリターンする。
【００２６】
一方、図６のロック制御ルーチンにおいては、リモコン１６からのアンロック信号を受信するまで待機し（ステップＢ１）、受信したときには、当該アンロック信号に含まれる従業員コードが「レベル１」に対応したものであるか否かを判断する（ステップＢ２）。ここで「ＮＯ」と判断した場合、つまり従業員コードが「レベル２」に対応したものであった場合には、ホストコンピュータ１９に対して、当該従業員コードを含む確認要求信号を出力する（ステップＢ３）。この場合、ホストコンピュータ１９では、入力された確認要求信号中の従業員コードに対応した従業員により第２のロック機構１１のロック解除を許容しても問題がないか否かを予め蓄積した判断用情報に基づいて判断し、問題なしと判断した場合には許可信号をアンサバックし、問題ありと判断した場合には、拒絶信号をアンサバックする構成となっている。
【００２７】
制御部２１は、確認要求信号の出力後には、ホストコンピュータ１９から許可信号及び拒絶信号の何れかがアンサバックされるまで待機し（ステップＢ４、Ｂ５）、許可信号がアンサバックされたときには、ステップＢ６を実行する。このステップＢ６は、ステップＢ２で「ＹＥＳ」と判断した場合、つまり、アンロック信号に含まれる従業員コードが「レベル１」に対応したものであった場合にも実行されるものであり、第２のロック機構１１内の図示しないキャンセラ機構に対しアンロック許可信号の出力を開始する。これにより、第２のロック機構１１がキーによるアンロック操作が可能な状態に切り替えられる。この後には、例えばタイマ時間が１０秒に設定された時限タイマの動作を開始させ（ステップＢ７）、カバーセンサ１２がカバー１０の開放を検知するまで、若しくは時限タイマがタイムアップするまで待機する（ステップＢ８、Ｂ９）。
【００２８】
時限タイマがタイムアップする前にカバー１０の開放を検知したとき（ステップＢ８で「ＹＥＳ」）には、時限タイマをリセットし（ステップＢ１０）、この後に、カバーセンサ１２がカバー１０の閉鎖を検知するまで待機し（ステップＢ１１）、その閉鎖を検知したときにリターンする。尚、カバー１０が閉鎖されたときには、第２のロック機構１１が自動的にロック動作される。
【００２９】
また、カバー１０が開放される前に時限タイマがタイムアップしたとき（ステップＢ９で「ＹＥＳ」）には、第２のロック機構１１内のキャンセラ機構に対するアンロック許可信号の出力を停止し（ステップＢ１２）、この後にリターンする。
【００３０】
一方、確認要求信号の出力後においてホストコンピュータ１９から拒絶信号がアンサバックされたとき（ステップＢ５で「ＹＥＳ」）には、表示部８に対して、カバー１０の開放が不可能である旨を告知する拒絶メッセージを表示するステップＢ１３を実行した後にリターンする。
【００３１】
上記した本実施例の構成によれば、以下に述べるような作用・効果を奏することができる。
遊技客が獲得したパチンコ玉は運搬用ケースである玉箱に収納された状態でパチンコ玉計数装置１まで運ばれる。パチンコ玉計数装置１に設けられた玉受容器３の投入口３ａは、常時においてシャッタ５より閉鎖状態にロックされており、従って、パチンコホール従業員がシャッタ５を開放したときのみパチンコ玉の計数動作が可能になる。この場合、玉受容器３に対し１箱相当量程度のパチンコ玉を投入してからシャッタ５を閉鎖した場合、計数部４によるカウント値は、シャッタ５の閉鎖状態がシャッタセンサ７により検知されるまでの期間において、ある程度以上の値を示すことになる。これに対して、シャッタ５が閉鎖された状態で、電波発信機から電波を発射して計数部４を誤作動させ、以てその計数部４から出力される計数パルスのカウント値を実際に投入されたパチンコ玉数よりも大幅に高めるという不正行為が行われた場合には、カウント値は零からインクリメントされることになる。
【００３２】
本実施例においては、シャッタセンサ７がシャッタ５の閉鎖を検知している状態で計数部４からの計数パルスのカウント値が第１の設定値である「１０」から第２の設定値である「１００」へ増加したときに、制御部２１から異常信号が出力され、これを受けたホストコンピュータ１９が、パチンコホール従業員に向けて異常信号の発生源となったパチンコ玉計数装置１を特定可能な警報が発生する構成となっている。この場合、玉受容器３に対しパチンコ玉を投入するという通常の操作が行われた後にシャッタ５が閉鎖されたときには、計数パルスのカウント値が「１０」から「１００」へ増加する状態が既に終わっているから、制御部２１から異常信号が出力されることはない。
【００３３】
これに対して、電波発信機から電波を発射して計数部４を誤作動させるという不正行為が行われた場合には、計数部４からの計数パルスのカウント値は零からインクリメントされることになるため、そのカウント値が「１０」から「１００」へ増加する状態が発生し、これに応じて制御部２１から異常信号が出力されることになる。従って、シャッタ５によりパチンコ玉の投入口３ａが閉鎖されている状態で計数部４からの計数パルス出力があったときに、その計数パルスが正常な計数動作に応じたものであるか、或いは不正行為に起因したものであるかを、異常信号の出力の有無に基づいて正確に判定できるようになり、不正行為が行われた場合には、異常信号に応じて出力される警報により当該不正行為に迅速に対処できるようになる。
【００３４】
また、カバー１０を閉鎖状態に保持している第２ロック機構１１をロック解除するためには、パチンコホール従業員によるキー操作の他に、当該従業員が携帯するリモコン１６を通じたアンロック信号の送信操作が必要な構成、つまり二重の操作が必要な構成となっており、カバー１０を開放させて行われる不正行為（例えば、制御部２１が有するＲＯＭを差し替えることにより計数内容が実際の値より増えるように仕向ける不正行為）を防止する上で有益になる。特に、アンロック信号には、リモコン１６を携帯する従業員の信頼性レベルを示すデータが記憶され、この信頼性レベルが低い場合（リモコン１６の携帯者が主任クラス未満の一般従業員やアルバイト従業員などであった場合）には、ホストコンピュータ１９側で第２のロック機構１１のロック解除を許容しても問題がないか否かを判断する構成となっているから、カバー１０の開放に対する安全性が増すようになる。
【００３５】
（第２の実施の形態）
図７には本発明の第２実施例が示されており、以下これについて前記第１実施例と異なる部分のみ説明する。
即ち、本実施例は、制御部２１による制御内容のうちメインプログラムに関する部分を、第１実施例における制御内容（図５参照）から図７のように変更した点に特徴を有する。図７において、電源投入状態では、計数部４の計数動作の開始若しくは当該計数動作の終了を検知するまで待機する（ステップＣ１、Ｃ２）。計数動作開始を検知したときには、計数部４から入力される計数パルスをカウントし（ステップＣ３）、計数開始フラグがオンか否かを判断する（ステップＣ４）。ここで、計数開始フラグは、計数動作が一旦終了した後の初期状態ではオフされている。従って、ステップＣ１において計数動作開始が初めて検知された後にステップＣ４が実行されたときには、当該ステップＣ４で「ＮＯ」と判断するものであり、この場合にはステップＣ２へ移行して、当該ステップＣ２で「ＮＯ」と判断されるまで計数パルスのカウントを継続する。
【００３６】
一方、ステップＣ４で「ＮＯ」と判断した場合には、シャッタセンサ７がオン状態にあるか否かを判断し（ステップＣ５）、「ＮＯ」の場合、つまりシャッタ５が開放されているときには、計数開始フラグをオンにするステップＣ６を実行した後にステップＣ１へ戻って計数パルスのカウントを継続する。これに対してステップＣ５で「ＹＥＳ」と判断した場合、つまりシャッタ５が閉鎖されているときには、警報処理ルーチンＣ７を実行した後にリターンする。
【００３７】
この警報処理ルーチンＣ７では、異常信号を発生してホストコンピュータ１９へ送信すると共に、必要に応じてその後のレシートの発券処理を禁止するなどの制御動作を行う。そして、異常信号を受けたホストコンピュータ１９にあっては、パチンコホール従業員に対し、異常信号の発生源となったパチンコ玉計数装置１を特定可能な警報を発する構成となっている。
【００３８】
一方、計数動作終了を検知したとき（ステップＣ２で「ＹＥＳ」）には、発券処理ルーチンＣ８を実行する。このルーチンＣ８では、返却有りスイッチ１４及び返却無しスイッチ１５の何れかが操作されることに基づいて、計数部４からの計数パルスの最終的なカウント値（計数結果）及びＩＤ情報を記録したレシートを発券部１３から発券するための制御動作を行う。具体的には、最終的なカウント値を特定景品の交換単価により除算して、そのカウント値に対応した数のパチンコ玉で交換可能な特定景品の数を算出すると共に、パチンコ玉を特定景品と交換した場合に生ずる余りパチンコ玉数を算出する。そして、返却有りスイッチ１４が操作されたときには、レシートに対し、最終的なカウント値から余りパチンコ玉数の算出値を減算した数値を計数結果として印字すると共に、算出された特定景品の交換個数を印字し、玉返却部９から余りパチンコ玉数に応じた数のパチンコ玉を放出する。また、返却無しスイッチ１５が操作されたときには、レシートに対し、最終的なカウント値を計数結果として印字すると共に、算出された特定景品の交換個数及び余りパチンコ玉数を印字する。尚、表示部８には、発券処理ルーチンＣ８での演算結果が表示される。
【００３９】
発券処理ルーチンＣ８の実行に応じてレシートを発券した後には、計数開始フラグをオフするステップ９、計数パルスのカウント値の初期化及び表示部８の表示内容の初期化などを行うリセットステップＣ１０を実行し、この後にリターンする。
【００４０】
このような構成とした本実施例によれば、シャッタ５が閉鎖されて投入口３ａを通じたパチンコ玉の投入が禁止された状態において、計数部４からの計数パルスの出力が開始されたとき、つまり、本来的に計数値出力が発生するはずがない状態で計数パルスが出力されたときは、制御部２１から異常信号が出力される。従って、シャッタ５によりパチンコ玉の投入口３ａが閉鎖されている状態で計数パルスが出力されたときに、その計数パルスが不正行為に起因して出力されたものであるか否かを正確に判定できるようになる。尚、パチンコホール従業員が玉受容器３に対し１箱相当量程度のパチンコ玉を投入してからシャッタ５を閉鎖した場合には、シャッタ５の閉鎖状態で計数パルスの出力動作が既に開始されているから、制御部２１から異常信号が出力されることはない。
【００４１】
尚、本発明は上記した実施例に限定されるものではなく、次のような変形または拡張が可能である。
遊技媒体としてのパチンコ玉を計数する構成としたが、スロットマシン用の遊技媒体であるコインを計数対象とした計数装置にも適用できることは勿論である。
【図面の簡単な説明】
【図１】本発明の第１実施例の電気的構成を示す機能ブロック図
【図２】ＰＯＳシステムの全体構成を実体的に示す図
【図３】シャッタ開放状態で示すパチンコ玉計数装置の斜視図
【図４】シャッタ閉鎖状態で示すパチンコ玉計数装置の斜視図
【図５】制御内容を示すフローチャートその１
【図６】制御内容を示すフローチャートその２
【図７】本発明の第２実施例における制御内容を示すフローチャート
【符号の説明】
１はパチンコ玉計数装置（遊技媒体計数装置）、３は玉受容器（投入容器）、３ａは投入口、４は計数部（計数手段）、５はシャッタ、７はシャッタセンサ（検知手段）、２１は制御部（異常判定手段）を示す。
【図１】
0004703899.tif 000002
【図２】
0004703899.tif 000003
【図３】
0004703899.tif 000004
【図４】
0004703899.tif 000005
【図５】
0004703899.tif 000006
【図６】
0004703899.tif 000007
【図７】
0004703899.tif 000008